(57)【要約】  本発明は、第１のコンテンツレベルによって特徴付けられたデジタルオブジェクトを制御するための制御手段を備えるユーザ対話システムに関するもので、各前記デジタルオブジェクトは第２コンテンツレベルによって特徴付けられた少なくとも１つのデジタルオブジェクト、およびサムネイルイメージによってデジタルオブジェクトを表示するための表示手段を備え、前記表示手段は、その各々が表示手段で第１のコンテンツレベルによって特徴付けられたデジタルオブジェクトを表す少なくとも１つの選択可能なサムネイルイメージの第１のスクロール可能なリストと、その各々が表示手段で第２のコンテンツレベルによって特徴付けられたデジタルオブジェクトを表す少なくとも１つの選択可能なサムネイルイメージの第２のスクロール可能なリストを、制御手段の制御の下で示すように構成されており、制御手段は、表示手段で第１のリストを示し、第１のリストのサムネイルイメージを選択すると、第１のリストと同時に、選択されたサムネイルイメージに対応する第１のコンテンツレベルによって特徴付けられたデジタルオブジェクトに含まれた第２のコンテンツレベルによって特徴付けられた少なくとも１つのデジタルオブジェクトに対応する第２のリストを示すように構成されている。
2015524583.tif 000002
【特許請求の範囲】
【請求項１】
第１のコンテンツレベルのデジタルオブジェクトを制御するための制御手段を備えるユーザ対話システムであって、前記デジタルオブジェクトは第２コンテンツレベルの少なくとも１つのデジタルオブジェクト、およびサムネイルイメージによって第１および第２のコンテンツレベルのデジタルオブジェクトを表示するための表示手段を備え、前記表示手段は、
各々が表示手段で第１のコンテンツレベルのデジタルオブジェクトを表す少なくとも１つの選択可能なサムネイルイメージの第１のスクロール可能なリストと、
各々が表示手段で第２のコンテンツレベルのデジタルオブジェクトを表す少なくとも１つの選択可能なサムネイルイメージの第２のスクロール可能なリストとを制御手段の制御の下で示すように構成されており、
制御手段が、表示手段で第１のリストを示し、第１のリストのサムネイルイメージを選択すると、第１のリストと同時に、第２のコンテンツレベルの少なくとも１つのデジタルオブジェクトに対応する第２のリストを示すように構成され、当該デジタルオブジェクトは第１のコンテンツレベルのデジタルオブジェクトに含まれ、当該デジタルオブジェクトが選択されたサムネイルイメージに対応しているユーザ対話システム。
【請求項２】
第１のリストおよび第２のリストがスワイピングジェスチャーによってスクロール可能である、請求項１に記載のユーザ対話システム。
【請求項３】
第１のリストでスクロールする第１の方向および第２のリストでスクロールする第２の方向が同じ向きを有している、請求項１に記載のユーザ対話システム。
【請求項４】
第１のリストおよび第２のリストが表示手段で並列かつ隣接して配置される、請求項３に記載のユーザ対話システム。
【請求項５】
第１のリストでスクロールする第１の方向および第２のリストでスクロールする第２の方向が異なる向きを有しており、示される場合、第２のリストが、第１のリストから選択されたサムネイルイメージで第１のリストと重複する、請求項１に記載のユーザ対話システム。
【請求項６】
第１の方向が第２の方向に対して垂直である、請求項５に記載のユーザ対話システム。
【請求項７】
サムネイルイメージが、第２の方向でサムネイルイメージでスワイプすることによって第１のリストから選択される、請求項５から６のいずれかに記載のユーザ対話システム。
【請求項８】
制御手段が、第１のリストのスクロール時に第２のリストを非表示にするために、表示コマンドを表示手段に発行するように構成される、請求項５から７のいずれか一項に記載のユーザ対話システム。
【請求項９】
第１または第２のコンテンツレベルの各デジタルオブジェクトが、デジタルドキュメントのセット、デジタルドキュメント、デジタルドキュメントの章、およびデジタルドキュメントのページのうちの１つである、請求項１から８のいずれか一項に記載のユーザ対話システム。
【請求項１０】
各デジタルオブジェクトの第１のコンテンツレベルおよび少なくとも１つの対応するデジタルオブジェクトの第２のコンテンツレベルが、２つを超えるコンテンツレベルから選択される、請求項１から９のいずれか一項に記載のユーザ対話システム。
【請求項１１】
少なくとも１つのサムネイルイメージのリストを示す向きが、少なくとも１つのサムネイルイメージのリストに対応するデジタルオブジェクトの後続のコンテンツレベルに対して交互になる、請求項１０に記載のユーザ対話システム。
【請求項１２】
請求項９に記載のユーザ対話システムおよびユーザ対話システムの制御手段によって制御され、デジタルオブジェクトを複製するように構成された印刷エンジンを備える複製システム。
【請求項１３】
ユーザ対話システムの表示手段でサムネイルイメージをスクロールするための方法であって、各サムネイルイメージは複数のコンテンツレベルからのコンテンツレベルによって特徴付けられたデジタルオブジェクトを表し、前記方法が、第１のコンテンツレベルによって特徴付けられたデジタルオブジェクトを表すサムネイルイメージの第１のリストを表示するステップと、―各デジタルオブジェクトは第２のコンテンツレベルによって特徴付けられた少なくとも１つのデジタルオブジェクトを含む―、第１のリストでユーザジェスチャーによって第１のリストからデジタルオブジェクトを選択するステップと、第１のリストと同時に、第２のコンテンツレベルによって特徴付けられた少なくとも１つのデジタルオブジェクトに対応する少なくとも１つのサムネイルイメージの第２のリストを表示するステップ、―前記少なくとも１つのデジタルオブジェクトが選択されたデジタルオブジェクトに対応している―、含む方法。
【請求項１４】
請求項１３に記載の方法を行うためにコンピュータに指令するように構成された、コンピュータ実行可能プログラムコード。
【請求項１５】
請求項１４に記載のコンピュータ実行可能プログラムコードを備える記録媒体。
【発明の詳細な説明】
【技術分野】
【０００１】
本発明は、第１のコンテンツレベルのデジタルオブジェクトで、デジタルオブジェクトが第２のコンテンツレベルの少なくとも１つのデジタルオブジェクトを含むものを制御するための制御手段、ならびにサムネイルイメージによって第１および第２のコンテンツレベルのデジタルオブジェクトを表示するための表示手段を備えるユーザ対話システムに関するもので、前記表示手段は、制御手段の制御下で、すなわち、その各々が表示手段で第１のコンテンツレベルのデジタルオブジェクトを表示する少なくとも１つの選択可能なサムネイルイメージの第１のスクロール可能なリスト、およびその各々が表示手段で第２のコンテンツレベルのデジタルオブジェクトを表示する少なくとも１つの選択可能なサムネイルイメージの第２のスクロール可能なリストを表示するように構成されている。第１のコンテンツレベルのデジタルオブジェクトはさらに、この出願では第１のコンテンツレベルのデジタルオブジェクトと名付けられている。第２のコンテンツレベルのデジタルオブジェクトはさらに、この出願では第２のコンテンツレベルのデジタルオブジェクトと名付けられている。
【背景技術】
【０００２】
アイテム名の複数のカスケーディングリストを備えるメニュー構造を有するユーザ対話システムが知られている。第１のリストには第１のレベルの機能名が含まれる。第１のリストの各機能名は、マウスクリック、あるいはタッチスクリーンの場合には、人間の指またはスタイラスペンのタップまたはスワイプなど、他の指示機器によって選択可能である。機能名が第１のリストから選択されると、選択可能な機能に属するサブ機能の名前の第２のリストが現れる。今度は、各サブ機能名が選択可能である。第１のリストは非常に多くの機能名を含み得るので、第１のリストは、第１のリストをスクロール可能にするためにスクロールバーが伴われて示される。同じ実装形態は、第２のリストにも当てはまり得る。
【０００３】
サブ機能名が選択されると、サブ機能名に結合されたサブ機能がユーザ対話システムの制御手段によって実行される。
【０００４】
ローカルユーザインターフェイスまたはモバイルインターフェイスを有する複製システムが知られている。ローカルユーザインターフェイスは、複製システムに取り付けられ得る。モバイルインターフェイスは、再生システムに無線接続され得る。ローカルユーザインターフェイスおよびモバイルインターフェイスは、複製システムに送信される印刷ジョブの待ち行列を表す選択可能な印刷ジョブのリストを表示するためのディスプレイを備える。ディスプレイは、サムネイルイメージを操作するためのシングルタッチまたはマルチタッチの使用を可能にするタッチスクリーンとし得る。サムネイルイメージは、画像の認識および整理で有用に使用される画像の縮小版で、単語に対して普通のテキスト索引が行うのと同様の役割をイメージに対して提供する。印刷ジョブの待ち行列の各印刷ジョブは、印刷ジョブに対応するドキュメントの最初のページのサムネイルイメージによって表現され得る。
【発明の概要】
【課題を解決するための手段】
【０００５】
タッチスクリーンの使用によって、サムネイルイメージのそのようなリストを操作するためのジェスチャーの導入が可能になる。本発明によるユーザ対話システムは、そのようなタッチスクリーンの特性を利用する。本発明によると、制御手段は、表示手段で第１のリストを示し、第１のリストのサムネイルイメージを選択すると、第１のリストと同時に、第２のコンテンツレベルの少なくとも１つのデジタルオブジェクトに対応する第２のリストを示すように構成され、そのデジタルオブジェクトは第１のコンテンツレベルのデジタルオブジェクトに含まれ、そのデジタルオブジェクトは選択されたサムネイルイメージに対応している。第１のリストおよび第２のリストが同時にユーザにより見られるので、第１のリストを介してデジタルオブジェクトを選択することから第２のリストを介してデジタルオブジェクトを選択することに切り換えることが容易であり、その反対も同様である。
【０００６】
一実施形態によると、第１のリストおよび第２のリストはスワイピングジェスチャーによってスクロール可能である。第１と同様に第２のリストはデジタルオブジェクトのサムネイルイメージを含んでいる。サムネイルイメージは実質的なサイズを有しているので、ディスプレイで整列している、第１のリストで表される複数のデジタルオブジェクトで指または他のスワイピングツールによるスワイプが可能である。
【０００７】
一実施形態によると、第１のリストでスクロールする第１の方向および第２のリストでスクロールする第２の方向は同じ向きを有している。第１のリストおよび第２のリストは、互いに並列に表示され得る。第２のリストは、第１のリストで選択されたデジタルオブジェクトに対応するデジタルオブジェクトに含まれるデジタルオブジェクトを含み得る。第１または第２のリストのデジタルオブジェクトは、対応するサムネイルイメージが強調表示されるか、または例えば、ディスプレイの第１のリストの縦軸の中央など、ディスプレイの特定の位置にある場合に、選択されたと見なされ得る。第１のリストおよび第２のリストは、表示手段で並列かつ隣接して配置され得る。
【０００８】
一実施形態によると、第１のリストでスクロールする第１の方向および第２のリストでスクロールする第２の方向は異なる向きを有しており、第２のリストは、それが示される場合、第１のリストから選択されたサムネイルイメージで第１のリストと交差する。第１の方向は、第２の方向に垂直であり得る。第１および第２のリストの交差は、第２のリストが、それが示される場合、第１のリストから選択されたサムネイルイメージが表示手段で見えなくなるように第１のリストと重なるように表示され得る。別の実施形態によると、第１および第２のリストの交差は、第１のリストが交差で視ることが可能で、第２のリストは交差で分割されるように表示され得る。
【０００９】
一実施形態によると、サムネイルイメージは、第２の方向でサムネイルイメージでスワイプすることによって、第１のリストから選択される。第１のリストのサムネイルイメージで第１の方向のスワイピングジェスチャーが第１のリストのスクロールをアクティブ化する。第２の方向の第１のリストのサムネイルイメージでのスワイピングジェスチャーが、タッチしたサムネイルイメージの選択、および第１のリストで選択されたサムネイルイメージによって表される第１のコンテンツレベルのデジタルオブジェクトに含まれる第２のコンテンツレベルのデジタルオブジェクトに対応するサムネイルアイテムの第２のリストの表示がアクティブ化する。
【００１０】
一実施形態によると、制御手段は、第１のリストのスクロール時に第２のリストを非表示にするために、表示コマンドを表示手段に発行するように構成されている。第２のリストが表示手段で既に示されている場合、ユーザは、第１のリストの別のサムネイルイメージを選択するために、第１のリストをスクロールしたいと思う場合がある。選択時に、前に表示されたサムネイルアイテムでいっぱいの表示を打開するために、制御手段は、第１のリストで前に選択されたサムネイルイメージに属する第２のリストを非表示にするために表示コマンドを表示手段に発行する。
【００１１】
一実施形態によると、第１または第２のコンテンツレベルによって特徴付けられる各デジタルオブジェクトは、デジタルドキュメントのセット、デジタルドキュメント、デジタルドキュメントの章、およびデジタルドキュメントページのうちの１つである。
【００１２】
第１の例では、第１のコンテンツレベルによって特徴付けられたデジタルオブジェクトはデジタルドキュメントのセットで、第２のコンテンツレベルによって特徴付けられた少なくとも１つのデジタルオブジェクトはデジタルドキュメントのセットからのデジタルドキュメントである。デジタルドキュメントのセットは、ユーザ対話システムに接続された複製システムの特定のユーザの印刷メールボックスとし得る。デジタルドキュメントのセットは、ユーザ対話システムに接続された複製システムで印刷されるドキュメントの日常のセットとし得る。デジタルドキュメントのセットは、制御ユニットに接続可能な、印刷メールボックスのコレクション、内部ネットワークロケーション、例えば、デジタルクラウド機構などの外部サービス機構、最後に使用したドキュメントのセット、外部ＦＴＰ接続デジタルソース、またはＵＳＢソースなどのソース環境とし得る。
【００１３】
第２の例では、第１のコンテンツレベルによって特徴付けられたデジタルオブジェクトは、例えば、ユーザ対話システムに接続された複製システムの待ち行列のデジタルドキュメントで、第２のコンテンツレベルによって特徴付けられた少なくとも１つのデジタルオブジェクトはデジタルドキュメントの章である。
【００１４】
第３の例では、第１のコンテンツレベルによって特徴付けられたデジタルオブジェクトは、例えば、複製システムの待ち行列のデジタルドキュメントで、第２のコンテンツレベルによって特徴付けられた少なくとも１つのデジタルオブジェクトはデジタルドキュメントのページである。
【００１５】
一実施形態によると、各デジタルオブジェクトの第１のコンテンツレベルおよび少なくとも１つの対応するデジタルオブジェクトの第２のコンテンツレベルは、２つを超えるコンテンツレベルから選択される。コンテンツレベルの階層構造は、コンテンツレベルのペアのデジタルオブジェクトを示すために使用され得る。２つのコンテンツレベルは、例えば、親子関係により、階層構造でどれが後続かが示され得る。
【００１６】
さらなる一実施形態によると、少なくとも１つのサムネイルイメージのリストを示す向きが、サムネイルイメージの後続のコンテンツレベルに対して交互になる。これは、２つを超えるコンテンツレベルに対応するサムネイルイメージが表示される時に特に適している。
【００１７】
本発明はさらに、前の実施形態のいずれかによるユーザ対話システムおよびユーザ対話システムの制御手段によって制御され、デジタルオブジェクトを複製するように構成された印刷エンジンを備える複製システムにも関する。複製システムはローカルネットワークに接続されたワークステーションを含み得る。本発明は特に、この種類の環境での使用に適合されており、ここで、複製システムは、ワークステーションの１つで作業し、ドキュメントのセットを含む印刷ジョブをワークステーションの１つから複製システムに送ることを意図しているユーザにより使用可能である。複製システムはネットワークに接続され、ワークステーションから印刷ジョブを受信するのに適合されている。ネットワークは無線にし得る。複製システムは印刷ジョブおよび設定を表示および選択するために適したユーザ対話システムを備えている。印刷エンジンは、小さいおよび／または幅広い形式のドキュメントを印刷し得る。
【００１８】
ユーザ対話システムは複製システムの上部に取り付けられたり、複製システムの前面パネルに一体化されたり、または複製システムの上部に取り付けられたタッチスクリーンを有したりすることができる。
【００１９】
本発明はさらに、ユーザ対話システムの表示手段でサムネイルイメージをスクロールするための方法にも関するもので、各サムネイルイメージは複数のコンテンツレベルからのコンテンツレベルによって特徴付けられたデジタルオブジェクトを表し、前記方法は、第１のコンテンツレベルによって特徴付けられたデジタルオブジェクトを表すサムネイルイメージの第１のリストを表示するステップと、―各デジタルオブジェクトは第２のコンテンツレベルによって特徴付けられた少なくとも１つのデジタルオブジェクトを含む―、第１のリストでユーザジェスチャーによって第１のリストからデジタルオブジェクトを選択するステップと、第１のリストと同時に、第２のコンテンツレベルによって特徴付けられた少なくとも１つのデジタルオブジェクトに対応する少なくとも１つのサムネイルイメージの第２のリストを表示するステップ、―前記少なくとも１つのデジタルオブジェクトが選択されたデジタルオブジェクトに対応している―、を含んでいる。
【００２０】
本発明はさらに、本発明の方法による方法を行うためにコンピュータに指令するように構成されたコンピュータ実行可能プログラムコードにも関する。
【００２１】
本発明はさらに、上述のように構成されたコンピュータ実行可能プログラムコードを備える記録媒体にも関する。
【００２２】
本発明によるユーザ対話システムは、添付図面を参照してより詳細に説明される。
【図面の簡単な説明】
【００２３】
【図１Ａ】ユーザ対話システムの構成を示す図である。
【図１Ｂ】ユーザ対話システムの構成を示す図である。
【図２】複製システムに一体化されたユーザ対話システムの構成を示す図である。
【図３】サムネイルイメージの第１のリストを示す時のユーザ対話システムの一実施形態を示す図である。
【図４】サムネイルイメージの第１のリストおよび同じ向きのサムネイルイメージの第２のリストを示す時のユーザ対話システムの表示手段を示す図である。
【図５】第１の向きでサムネイルイメージの第１のリストおよび第２の向きでサムネイルイメージの第２のリストを示す時の表示手段を示す図である。
【図６】第１の向きでサムネイルイメージの第１のリストおよび第２の向きでサムネイルイメージの第２のリストを示す時のユーザ対話システムの表示手段を示す図である。
【図７】デジタルオブジェクトの階層化コンテンツレベルの図である。
【図８】３つのコンテンツレベルのリストを同時に表示する例を示す図である。
【図９】本発明による方法の一実施形態の流れ図である。
【図１０】デジタルオブジェクトでのスワイピングジェスチャーの作業領域を示す図である。
【発明を実施するための形態】
【００２４】
図１Ａから図１Ｂは、例えばプロセッサおよびメモリを伴うコンピュータシステムなどの制御手段３に接続された表示手段２を備えるユーザ対話システム１を示している。制御手段３は、図１Ｂで示されているように単一のハウジングに表示手段２と共に一体化され得る。図１Ｂのユーザ対話システム１は、印刷装置の制御ユニットと無線接続されたモバイル機器とし得る。表示手段２はタッチスクリーンとし得る。制御手段３は、図１Ａで示されているように有線または無線とし得る接続４によって表示手段２と接続され得る。図１Ａの表示手段はモバイル機器とし得る。モバイル機器は、携帯電話、タブレットパーソナルコンピュータ、ネットブックコンピュータなどにし得る。
【００２５】
図２は、例えば、多機能印刷プリンタ、小型フォーマットプリンタ、またはワイドフォーマットプリンタなどの複製システム５に一体化されたユーザ対話システムを示している。複製システム５は、ネットワークＮを介して接続されたワークステーション８Ａ、８Ｂ、８Ｃで作業するユーザから、ネットワーク接続６を介して使用可能である。ユーザは、ワークステーション８Ａ、８Ｂ、８Ｃから複製システム５の制御手段３に、ドキュメントのセットを含む印刷ジョブを送信し得る。制御手段３は印刷ジョブを記憶するための記憶手段７を備える。表示手段２は印刷ジョブを表すサムネイルイメージのスクロール可能なリストによって印刷ジョブを表示したり、スクロール可能なリストからサムネイルイメージを選択することによって印刷ジョブ選択したりするのに適している。
【００２６】
一実施形態によると、制御手段３は、印刷ジョブを待ち行列に入れること、印刷待ち行列が空いているかどうかをチェックすること、および印刷されるために、待ち行列に入れられた印刷ジョブから複製システム５の印刷エンジンにドキュメントを送信することに適合され得る。制御手段３は、ドキュメントが複製システム５によって完全に印刷された後に終了する、少なくとも期間の間、印刷ジョブのドキュメントを記憶するための記憶手段７を備えている。印刷ジョブが図２による複製システム５に着信すると、制御手段３に記憶される。
【００２７】
図３は、サムネイルイメージ２１から２５の第１のリストを示す時の図１および図２による表示手段２の表示部分２ａを示している。表示手段２はタッチスクリーンで、接続された制御手段３は表示手段２がタッチスクリーンで操作されたジェスチャーを認識し、認識されたジェスチャーによりサムネイルイメージ２１から２５の表示されたリストで適合するようなアクションを実行できるようにするコンピュータプログラムを備えている。
【００２８】
コンピュータプログラムは、リストをスタイラスペンまたは人間の指によるジェスチャーを介してスクロール可能にする。ジェスチャーは、おおよそ、両面矢印Ｘによって示されるサムネイルイメージ２１から２５のリストの縦軸の方向にし得る。ジェスチャーはスワイピングジェスチャーにし得る。ジェスチャーがタッチスクリーンに加えられる前に、サムネイルイメージ２１から２５はタッチスクリーンで視ることが可能である。ジェスチャーが加えられた後、サムネイルイメージ２１から２５のリストは、加えられたジェスチャーの方向に対応する両面矢印Ｘの一方の終端の方向に移動される。第１のサムネイルイメージ２１は、Ｘ向きの方向で右から左へのジェスチャーの後にスクリーン上ではまったく見えなくなり、他方、６番目のサムネイルイメージ（図示せず）がスクリーンの右側に現れ得る。
【００２９】
サムネイルイメージは、サムネイルイメージ上でのジェスチャー、タッチ、タップ、またはクリックによって選択され得る。サムネイルイメージは、サムネイルイメージが表示部分２ａの中央に配置されている場合、デフォルトで選択され得る。図３では、３番目のサムネイルイメージ２３がデフォルトで選択され得る。サムネイルイメージが選択されたことを示すために、配色または形状などの外観を変更し得る。接続された制御手段３と組み合わせたタッチスクリーン２によってジェスチャーの速度が測定される。ジェスチャーの測定された速度は、ジェスチャーが加わる時の表示部分２ａでのサムネイルイメージの出現および非表示の数を特定するために使用され得る。
【００３０】
サムネイルイメージは、制御手段によって受信されたような、デジタルオブジェクトに含まれるイメージ情報に基づいている。イメージ情報はさらに、スキャンされ、複製装置により記憶され得る。デジタルオブジェクトの作成または生成に使用された設定は、サムネイルイメージの表示のために考慮に入れられている。そのような設定は当初のタイプおよび配色モード、冒頭または末尾の細長片の除去、オブジェクトの向き、終了オブジェクトなどとし得る。
【００３１】
図４は、サムネイルイメージ２１から２５の第１のリストおよび同じ向きＸのサムネイルイメージ２３１から２３７の第２のリストを示す時の表示手段の表示部分２ａを示している。第２のリストは、サムネイルイメージが第１のリストから選択された後またはジェスチャーが第１のリストに適用された後に現れ得る。サムネイルイメージが第１のリストからデフォルトで選択された場合、第２のリストは第１のリストが視ることが可能な時には必ず視ることが可能であり得る。
【００３２】
図４では、第１のコンテンツレベルのデジタルオブジェクトの第３のサムネイルイメージ２３が選択される。第１のコンテンツレベルのデジタルオブジェクトに属する、第２のコンテンツレベルのデジタルオブジェクトが、サムネイルイメージ２３１から２３７の第２のリストによって表される。第２のリストもジェスチャーによってスクロール可能である。図４で示される一実施形態によると、第２のリストは第１のリストに隣接して配置される。このことは、ユーザが一目で、第１および第２のリストを閲覧できるので利点である。第１のリストから３番目のサムネイルイメージ２３以外の別のサムネイルイメージを選択した後、第２のリストが適合され、他に選択されたサムネイルイメージに対応する第１のコンテンツレベルのデジタルオブジェクトに属する第２のコンテンツレベルのデジタルオブジェクトに対応するサムネイルイメージを示す。サムネイルイメージのサイズは任意に選択され、対応して変化され得る。表示手段で表示されるサムネイルイメージの数も対応して変化され得るもので、サムネイルイメージのサイズ、さらに表示手段の表示部分２ａのサイズによっても異なり得る。
【００３３】
一実施形態によると、制御手段は、第１のリストの第１のサムネイルイメージが選択されると、第２のリストが現れるように構成され、第２のリストの第２のサムネイルアイテムを選択すると、第１のリストの第１のサムネイルイメージが第２のリストの第２のサムネイルイメージに変わる。
【００３４】
図５は、第１の向きＸのサムネイルイメージ２１から２５の第１のリストおよび第２の向きＹのサムネイルイメージ２３１から２３５の第２のリストを示す時の表示手段の表示部分２ａを示している。サムネイルイメージ２３１から２３５の第２のリストは、第１のリストで選択された第３のサムネイルイメージ（図示せず）に対応している。サムネイルイメージ２３１から２３５の第２のリストは、第２の向きＹでスクロール可能である。スクロールは、タップ動作またはクリック動作により、スワイピングジェスチャーなどのジェスチャーを加えることなどにより、達成され得る。示されている実施形態では、サムネイルイメージ２３１から２３５の第２のリストは第１のリストによって中断されない。このようにして、第１のリストで選択されたサムネイルイメージ２３は、第２のリストの出現後には見えなくなる。第１のリストで選択されたサムネイルイメージがサムネイルイメージ２３１から２３５の第２のリストのサムネイルイメージ、例えば、サムネイルイメージ２３１と同一の場合には、しかしながら視ることが可能である。別の実施形態では、サムネイルイメージ２３１から２３５の第２のリストは、例えば、第２のリストの第２のサムネイルイメージ２３２と第２のリストの第３のサムネイルイメージ２３３の間で、第１のリストによって中断される。このようにして、第１のリストで選択されたサムネイルイメージ２３は、第２のリストの出現後でも視ることが可能である。
【００３５】
図６は、第２のリストの出現の別の実施形態を示している。サムネイルイメージ２１１から２１６の第２のリストが、第１のリストの第１のサムネイルイメージ２１の選択、またはそこでのスワイピングジェスチャーアクションの後に出現している。図５とは対照的に、第２のリストは中断されていないが、第１のリストが第１のリストで選択されたサムネイルイメージ２１を除外することによって中断されている。第２のリストがもはや中断されないので、第２のリストのさらに２つのサムネイルイメージ２１５、２１６も表示部分２ａで視ることが可能である。
【００３６】
当初、第１のリストのみが視ることが可能であり得る。ユーザが第１のリストのサムネイルイメージで第２のＹ向きの方向にスワイピングジェスチャーを加えた後、第２のリストが図６で示されているように出現し得る。図６によると、スワイピングジェスチャーが第１のリストの第１のサムネイルイメージ２１に加えられている。スワイピングジェスチャーは、第１のリストの視ることが可能ないずれかのサムネイルイメージ２１から２５に加えられ得る。第１のリストのサムネイルイメージに属する第２のリストが既に視ることが可能な時、第２のリストは第１のリストの別のサムネイルイメージが選択されるか、Ｙ向きの方向にスワイピングされると直ぐに見えなくなる。
【００３７】
他のサムネイルイメージでのＹ向きの方向の選択またはそこでのスワイピングジェスチャーアクションの後に、他のサムネイルイメージに属する第２のリストがＹ向きに現れる。さらに、Ｘ向きの方向の第１のリストでスクロールする時、第２のリストは、第１のリストのサムネイルイメージが再度選択されるまで、非表示になり得る。
【００３８】
デジタルオブジェクトのコンテンツレベルは、表示されるデジタルオブジェクトを階層的に分類するために使用され得る。図７は、デジタルオブジェクトの階層的分類の一例である。この分類は、プリンタなどの複製システムによって使用されるデジタルオブジェクトに関連している。ゼロコンテンツレベルは、デジタルドキュメントを備える、デジタルソースである最高の階層レベル７０である。第１のデジタルソース７０１は、制御ユニットに記憶された印刷メールボックスのコレクションである。第２のデジタルソース７０２は、少なくとも１つのサーバの内部ネットワークロケーションである。第３のデジタルソース７０３は、例えば、デジタルクラウド機構などの外部サービス機構である。第４のデジタルソース７０４は制御ユニットに接続可能なＵＳＢソースである。最後に使用したドキュメント、「マイドキュメント」のセット、または外部的に使用可能なデジタルソースであるＦＴＰのセットなどの、他のデジタルソースがイメージされ得る。デジタルソースの各々でのデジタルオブジェクトは制御ユニット外にあり得るが、例えば、デジタルソースと制御ユニット間のデジタルネットワークを介して、制御ユニットから必ず到達可能である。
【００３９】
プリンタの制御ユニットは、プリンタメールボックス７１１としても知られている、プリンタの各ユーザのための記憶場所を有している。プリンタの制御ユニットの記憶場所は、複製システムでの印刷ジョブの着信の事前に定義された期間に対応するセット７１２に配置され得る。事前に定義された期間７１２は、１日、１週間、１月などであり得る。そのようなユーザメールボックス７１１または事前に定義された期間のセット７１２は、最高の階層レベル７０の下の第１のコンテンツレベル７１であり得るもので、デジタルソース７０１、７０２、７０３、７０４の少なくとも１つの子であり得る。第１のコンテンツレベルの下で、第２のコンテンツレベル７２が第１のコンテンツレベルに属する印刷ジョブ７２１に関連され得る。第２のコンテンツレベルの下では、第３のコンテンツレベル７３が、印刷ジョブにより印刷されるドキュメント７３１として考えられ得る。第３のコンテンツレベルの下では、第４のコンテンツレベル７４が、印刷されるドキュメントの章７４１として考えられ得る。第４のコンテンツレベルの下では、第５のコンテンツレベル７５が、印刷されるドキュメントの章のページ７５１として考えられ得る。階層レベル７１、７２、７３、７４、７５の全体から２つの異なる階層レベルに対応するデジタルオブジェクトが、サムネイルイメージの第１のリストおよびサムネイルイメージの第２のリストとして表示され得る。コンテンツレベルは、第１および第２のリストによる表現においてスキップされ得る。例えば、第１のリストは第１のコンテンツレベル７１のユーザメールボックス７１１、期間セット７１２を表すことができ、一方、第２のリストは各ユーザメールボックスに属する第３のコンテンツレベル７３のドキュメント７３１を表す。制御手段は、表示される階層的コンテンツレベル、および表示される異なるコンテンツレベルの最大数を設定することによって構成可能であり得る。
【００４０】
サムネイルイメージのリストの各サムネイルイメージを識別するために、サムネイルイメージには識別テキストが伴われ得る。テキストはさらに、サムネイルイメージの一部でもあり得る。例えば、ドキュメントは、それぞれ、テキスト「Ｄｏｃ１」、「Ｄｏｃ２」などを備えるサムネイルイメージによって識別され得る。例えば、ドキュメントがテキスト「Ｄｏｃ１」を備えるサムネイルイメージによって識別され、全体で５ページを備える場合、ドキュメントの第３のページはテキスト「Ｄｏｃ１、ページ５の３」を備えるサムネイルイメージによって識別され得る。ＱＲコード（登録商標）、バーコード、署名、略語、自然数、数字と文字の組み合わせ、または当業者がサムネイルイメージと組み合わせられるのに適するものとして考えられ得る他の方法の識別のような任意のコンテンツレベルでのオブジェクトの識別も本発明の範囲内である。
【００４１】
一例として、第１のリストの中で表示手段に着信した印刷ジョブを表示するために、各印刷ジョブはサムネイルイメージにより表される。サムネイルイメージは印刷ジョブを認識するためにユーザによって使用され得る。一実施形態によると、サムネイルイメージは印刷ジョブの第１のドキュメントを表しており、例えば、サムネイルイメージは印刷ジョブの第１のドキュメントの第１のページのイメージである。複数の印刷ジョブの場合、対応するサムネイルイメージは、サムネイルイメージの第１のリストを形成するものとして、表示手段で１つの方向に順序付けられる。サムネイルイメージの第１のリストは、複製システムでの対応する印刷ジョブの着信時間によって配列され得る。
【００４２】
図８は、３つのコンテンツレベルのリストを同時に表示する一例を示している。一実施形態によると、各デジタルオブジェクトの第１のコンテンツレベルおよび少なくとも１つの対応するデジタルオブジェクトの第２のコンテンツレベルは、２つを超えるコンテンツレベルから選択される。コンテンツレベルの階層構造は、コンテンツレベルの３層、またはコンテンツレベルのｎ層のデジタルオブジェクトを示すために使用され得るもので、ここでｎは３より大きな自然数である。第１のコンテンツレベルのデジタルオブジェクト２２から２５の第１のリストは、第１のリストから選択されるので、示されない第１のデジタルオブジェクト２１を除き示される。したがって、第２のコンテンツレベルのデジタルオブジェクト２１２から２１６の第２のリストが、第２のリストから選択されるので、示されない第１のデジタルオブジェクト２１１を除き示される。したがって、第３のコンテンツレベルの１１個のデジタルオブジェクト２１１１から２１１Ｂの第３のリストが示される。図８では、少なくとも１つのサムネイルイメージのリストを示す向きＸ、Ｙが、サムネイルイメージの後続のコンテンツレベルに対して交互になる一実施形態を示している。複数のコンテンツレベルのデジタルオブジェクトに属するサムネイルイメージを示す場合、特定のレベルのサムネイルイメージのリストは１つのデジタルオブジェクトのみを有し得る。その場合、このリストは表示でスキップされ得るもので、次の階層コンテンツレベルのデジタルオブジェクトに属するサムネイルイメージが示され得る。第１の例では、ユーザのメールボックスは５つのドキュメントの１つの印刷ジョブを含んでいる。印刷ジョブのデジタルオブジェクトレベルはスキップされ得るもので、メールボックスレベルでのユーザのメールボックスおよびドキュメントレベルでの５つのドキュメントのみが、第１および第２のリストのそれぞれとして表示され得る。第２の例では、ユーザのメールボックスは６つのページの１つのドキュメントの１つの印刷ジョブのみを含んでいる。印刷ジョブレベルおよびドキュメントレベルはスキップされ得るもので、ユーザのメールボックスおよびページレベルでのドキュメントの６つのページのみが、第１および第２のリストのそれぞれとして表示され得る。
【００４３】
図９は、本発明による方法の一実施形態の流れ図を示している。本方法の開始時に、ユーザ対話システムの開始スクリーンが開かれる。第１のステップＳ９１０で、第１のコンテンツレベルによって特徴付けられるデジタルオブジェクトを表すサムネイルイメージの第１のスクロール可能なリストが表示される。第１のリストの各デジタルオブジェクトは、第２のコンテンツレベルによって特徴付けられる少なくとも１つのデジタルオブジェクトを備えている。第２のステップＳ９２０では、第１のリストでのユーザジェスチャーによって第１のリストからデジタルオブジェクトが選択される。ユーザジェスチャーは、第１のリストの縦軸に垂直な方向のスワイピングジェスチャーまたは第１のリストの特定のサムネイルイメージでの指示ジェスチャーとし得る。本方法の一実施形態によると、スワイピングジェスチャーは、第１のリストでスクロールするために使用され得るもので、第１のリストでのスクロールが減速すると直ぐに、第１のリストのサムネイルイメージがスナップされ得る。第１のリストの視ることが可能なサムネイルイメージの中央にあるサムネイルイメージがスナップされ得る。スナップされたサムネイルイメージが第１のリストから選択される。第３のステップＳ９３０では、少なくとも１つのサムネイルイメージの第２のリストが第１のリストと同時に表示される。第２のリストの少なくとも１つのサムネイルイメージは第２のコンテンツレベルによって特徴付けられる少なくとも１つのデジタルオブジェクトに対応しており、少なくとも１つのデジタルオブジェクトが第１のリストで選択されたデジタルオブジェクトに対応している。第２のリストは、第１のリストについて上述されたものと同様の方法で、タップ操作またはクリック操作あるいはスクロールされるのに適している。第２のリストから、サムネイルイメージが、第１のリストについて上述されたものと同様の方法で選択され得る。
【００４４】
図１０は、表示手段の部分２ａのサムネイルイメージ１０１でのスワイピングジェスチャーの作業領域を示している。サムネイルイメージは、水平に位置合わせされたサムネイルイメージのリストの一部である。サムネイルイメージは第１のコンテンツレベルでのデジタルオブジェクトを表し、デジタルオブジェクトは第２のコンテンツレベルでのデジタルオブジェクトのリストを備えている。便宜上の理由で、部分２ａに存在するリストの他のサムネイルイメージは除外されている。スワイピングジェスチャーがサムネイルイメージ１０１内のロケーション１０１Ｘでサムネイルイメージ１０１に加えられる。サムネイルイメージ１０１の領域は、２つの垂直の補助点線によって４つの領域１０１Ａ、１０１Ｂ、１０１Ｃ、１０１Ｄに分割される。図１０では、点線は垂直であるが、区別されるスワイピング方向ごとに、区別されるスワイピング方向ごとの許容可能なスワイピングアクションを特定する別の囲まれた角を有する点線のセットは本発明から除外されるものではない。
【００４５】
ジェスチャーから続くアクションはスワイピングジェスチャーの方向に応じて異なる。スワイピングジェスチャーがロケーション１０１Ｘから開始し、サムネイルイメージ１０１の左領域１０１Ｄへ伸長する場合、その結果のアクションは水平リストの左端から右端の方向にサムネイルイメージの水平リストをスクロールするものである。
【００４６】
スワイピングジェスチャーがロケーション１０１Ｘから開始し、サムネイルイメージ１０１の右領域１０１Ｃへ伸長する場合、その結果のアクションは水平リストの右端から左端の方向にサムネイルイメージの水平リストをスクロールするものである。
【００４７】
スワイピングジェスチャーがロケーション１０１Ｘから開始し、サムネイルイメージ１０１の上部領域１０１Ｂまたはムネイルイメージ１０１の下部領域１０１Ａへ伸長する場合、その結果のアクションはロケーション１０１Ｘを通じて垂直方向にサムネイルアイテムの第２のリストの出現である。第２のリストの各サムネイルイメージは、順番にサムネイルイメージ１０１に対応する第１のコンテンツレベルでのデジタルオブジェクトに属する第２のコンテンツの対応するデジタルオブジェクトを表している。
【００４８】
スワイピングジェスチャーがロケーション１０１Ｘから開始し、サムネイルイメージ１０１の上部領域１０１Ｂへ伸長する場合、その結果のアクションは垂直リストの上端から下端の方向に垂直の第２のリストをスクロールするものである。
【００４９】
スワイピングジェスチャーがロケーション１０１Ｘから開始し、サムネイルイメージ１０１の下部領域１０１Ａへ伸長する場合、その結果のアクションは垂直リストの下端から上端の方向に垂直の第２のリストをスクロールするものである。図１１の補助点線の交差の角度は、サムネイルイメージ１０１のアスペクト比に応じて異なり得る。
【００５０】
前の図面では、第１のリストは水平リストとして図示され、第２のリストは垂直リストとして図示されている。しかし、他に向けられた第１および第２のリストも本発明の範囲内にあたることは当業者には明らかになり得る。
【図１Ａ】
2015524583.tif 000003
【図１Ｂ】
2015524583.tif 000004
【図２】
2015524583.tif 000005
【図３】
2015524583.tif 000006
【図４】
2015524583.tif 000007
【図５】
2015524583.tif 000008
【図６】
2015524583.tif 000009
【図７】
2015524583.tif 000010
【図８】
2015524583.tif 000011
【図９】
2015524583.tif 000012
【図１０】
2015524583.tif 000013
【国際調査報告】
2015524583.tif 000014
2015524583.tif 000015
2015524583.tif 000016